【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
筐体と、前記筐体から出し入れ自在な表示部と、
前記表示部を、前記筐体内に収容する収容位置と、前記表示部に表示した情報が視認可能な視認可能位置と、に亘って移動自在に支持する支持手段と、
前記視認可能位置から所定方向に向けて前記表示部を所定量変位させる変位手段と、を備えた表示装置であって、
前記変位手段は、前記支持手段が前記表示部を収納位置に向けて移動させる動作に連動して、前記所定量変位された位置から前記視認可能位置まで前記表示部を自動的に変位させることを特徴とする表示装置。
【請求項２】
前記支持手段は、
前記筐体内において、この筐体の奥行き方向に沿って移動自在に前記表示部を支持する第１の移動シャーシと、
前記表示部を支持するとともに第１移動シャーシに回動自在に支持された第２の移動シャーシと、を備えたことを特徴とする請求項１に記載の表示装置。
【請求項３】
前記変位手段は、前記表示部が前記視認可能位置から前記所定方向に前記所定量変位可能になるように前記第２移動シャーシを支持するとともに、前記視認可能位置から前記所定量変位させた位置で前記表示部を保持することを特徴とする請求項２に記載の表示装置。
【請求項４】
前記表示部の幅方向に沿った一端部が、前記第２移動シャーシによって揺動自在に支持されているとともに、
前記変位手段は、
前記第２移動シャーシに回動自在に設けられかつ前記表示部を前記所定方向に前記所定量変位させた位置で保持することができるロック溝を備えたロック体と、
一端部が前記表示部に対し回動自在に取付けられているとともに、他端部が前記ロック体に対し回動自在でかつ前記幅方向に沿って移動自在に設けられたアーム体と、
前記表示部が前記所定方向に前記所定量変位した位置で保持されるように前記ロック体を付勢する第１付勢手段と、
前記表示部が前記視認可能位置に変位するように前記アーム体を付勢する第２付勢手段と、を備え、
前記アーム体が前記ロック溝に係止することで、前記所定方向に所定量変位した位置に前記表示部を保持する表示装置であって、
前記表示部を収納位置に向けて移動させる動作に連動して、第１の付勢手段の付勢力に抗して、前記アーム体が前記ロック溝に係止された保持状態を解除する方向に前記ロック体が回動されるとともに、
前記第２付勢手段の付勢力によって前記アーム体の他端部が前記幅方向に沿って移動されることにより、前記所定方向に前記所定量変位した位置から前記視認可能位置まで前記表示手段を変位させることを特徴とする請求項２又は請求項３に記載の表示装置。
【手続補正２】
【補正対象書類名】明細書
【補正対象項目名】００１４
【補正方法】変更
【補正の内容】
【００１４】
【問題を解決するための手段】
前記課題を解決し目的を達成するために、請求項１に記載の本発明の表示装置は、筐体と、前記筐体から出し入れ自在な表示部と、前記表示部を、前記筐体内に収容する収容位置と、前記表示部に表示した情報が視認可能な視認可能位置と、に亘って移動自在に支持する支持手段と、前記視認可能位置から所定方向に向けて前記表示部を所定量変位させる変位手段と、を備えた表示装置であって、前記変位手段は、前記支持手段が前記表示部を収納位置に向けて移動させる動作に連動して、前記所定量変位された位置から前記視認可能位置まで前記表示部を自動的に変位させることを特徴としている。
【手続補正３】
【補正対象書類名】明細書
【補正対象項目名】００１５
【補正方法】変更
【補正の内容】
【００１５】
請求項２に記載の本発明の表示装置は、請求項１記載の表示装置において、前記支持手段は、前記筐体内において、この筐体の奥行き方向に沿って移動自在に前記表示部を支持する第１の移動シャーシと、前記表示部を支持するとともに第１移動シャーシに回動自在に支持された第２の移動シャーシと、を備えたことを特徴としている。
【手続補正４】
【補正対象書類名】明細書
【補正対象項目名】００１６
【補正方法】変更
【補正の内容】
【００１６】
請求項３に記載の本発明の表示装置は、請求項２記載の表示装置において、前記変位手段は、前記表示部が前記視認可能位置から前記所定方向に前記所定量変位可能になるように前記第２移動シャーシを支持するとともに、前記視認可能位置から前記所定量変位させた位置で前記表示部を保持することを特徴としている。
【手続補正５】
【補正対象書類名】明細書
【補正対象項目名】００１７
【補正方法】変更
【補正の内容】
【００１７】
請求項４に記載の本発明の表示装置は、請求項２または請求項３記載の表示装置において、前記表示部の幅方向に沿った一端部が、前記第２移動シャーシによって揺動自在に支持されているとともに、前記変位手段は、前記第２移動シャーシに回動自在に設けられかつ前記表示部を前記所定方向に前記所定量変位させた位置で保持することができるロック溝を備えたロック体と、一端部が前記表示部に対し回動自在に取付けられているとともに、他端部が前記ロック体に対し回動自在でかつ前記幅方向に沿って移動自在に設けられたアーム体と、前記表示部が前記所定方向に前記所定量変位した位置で保持されるように前記ロック体を付勢する第１付勢手段と、前記表示部が前記視認可能位置に変位するように前記アーム体を付勢する第２付勢手段と、を備え、前記アーム体が前記ロック溝に係止することで、前記所定方向に所定量変位した位置に前記表示部を保持する表示装置であって、前記表示部を収納位置に向けて移動させる動作に連動して、第１の付勢手段の付勢力に抗して、前記アーム体が前記ロック溝に係止された保持状態を解除する方向に前記ロック体が回動されるとともに、前記第２付勢手段の付勢力によって前記アーム体の他端部が前記幅方向に沿って移動されることにより、前記所定方向に前記所定量変位した位置から前記視認可能位置まで前記表示手段を変位させることを特徴としている。
【手続補正６】
【補正対象書類名】明細書
【補正対象項目名】００１８
【補正方法】変更
【補正の内容】
【００１８】
請求項１に記載した本発明の表示装置によれば、支持手段が表示部を収納位置に向けて移動させる動作に連動して、所定量変位された位置から視認可能位置まで表示部を自動的に変位させる。このため、表示部を筐体内に収容する際に、手などを用いてこの表示部を調整する必要が生じない。
【手続補正７】
【補正対象書類名】明細書
【補正対象項目名】００２１
【補正方法】変更
【補正の内容】
【００２１】
請求項３に記載した本発明の表示装置によれば、変位手段は、表示部が視認可能位置から所定方向に所定量変位可能になるように第２移動シャーシを支持するとともに、表示部を視認可能位置から所定量変位させた状態に保持する。このため、表示部を筐体内に収容する際に、手などを用いてこの表示部を調整する必要が生じないことにくわえ、表示部を筐体の内外に収納及び排出することを確実に行なえるとともに、表示部を運転者などに向かって確実に相対向させることができる。
【手続補正８】
【補正対象書類名】明細書
【補正対象項目名】００２２
【補正方法】変更
【補正の内容】
【００２２】
請求項４に記載した本発明の表示装置によれば、表示部を収納位置に向けて移動させる動作に連動して、第１の付勢手段の付勢力に抗して、前記アーム体が前記ロック溝に係止された保持状態を解除する方向に前記ロック体が回動される。
【手続補正９】
【補正対象書類名】明細書
【補正対象項目名】００２３
【補正方法】変更
【補正の内容】
【００２３】
その後、第２付勢手段の付勢力によってアーム体の他端部が幅方向に沿って移動されることにより、所定方向に所定量変位した位置から視認可能位置まで表示手段を変位させる。このため、表示部を筐体内に収容する際に、手などを用いて表示部を調整する必要がより一層生じない。
【手続補正１０】
【補正対象書類名】明細書
【補正対象項目名】００７６
【補正方法】変更
【補正の内容】
【００７６】
【発明の効果】
以上説明したように請求項１に記載の本発明によれば、支持手段が表示部を収納位置に向けて移動させる動作に連動して、所定量変位された位置から視認可能位置まで表示部を自動的に変位される。このため、表示部を筐体内に収容する際に、手などを用いてこの表示部を調整する必要が生じない。したがって、操作性の低下を抑制することが可能となる。
【手続補正１１】
【補正対象書類名】明細書
【補正対象項目名】００７９
【補正方法】変更
【補正の内容】
【００７９】
請求項３に記載した本発明の表示装置によれば、変位手段は、表示部が視認可能位置から所定方向に所定量変位可能になるように第２移動シャーシを支持するとともに、表示部を視認可能位置から所定量変位させた状態に保持する。このため、表示部を筐体内に収容する際に、手などを用いてこの表示部の位置を調整する必要が生じずに操作性の低下を抑制できることに加え、表示部を筐体の内外に収容及び排出することを確実に行えるとともに、表示部を運転者などに向かってより確実に相対向させることができる。
【手続補正１２】
【補正対象書類名】明細書
【補正対象項目名】００８０
【補正方法】変更
【補正の内容】
【００８０】
請求項４に記載した本発明の表示装置によれば、表示部を収納位置に向けて移動させる動作に連動して、第１の付勢手段の付勢力に抗して、前記アーム体が前記ロック溝に係止された保持状態を解除する方向に前記ロック体が回動する。
【手続補正１３】
【補正対象書類名】明細書
【補正対象項目名】００８１
【補正方法】変更
【補正の内容】
【００８１】
その後、第２付勢手段の付勢力によってアーム体の他端部が幅方向に沿って移動されることにより、所定方向に所定量変位した位置から視認可能位置まで表示手段を変位させる。